(57)【要約】【課題】可変指向性アンテナの接続が誤っていた場合であって接続し直した際にＡＣコードを抜き差し不要として使い勝手を良くする放送受信装置を提供することである。【解決手段】放送受信装置は、第１ライン５０からの入力電圧に基づいて、アンテナコントロールジャック２０に接続がなされていると判別した場合は、スイッチ２１をＯＮに切り換え、第２ライン５１からの入力電圧に基づいて、駆動用電源２２が短絡していると判別した場合は、スイッチ２１をＯＦＦに切り換え、再度第１ライン５０からの入力電圧に基づいて、アンテナコントロールジャック２０に接続がなされていないと判別し、さらに第１ライン５０からの入力電圧に基づいて、接続がなされていると判別した場合は、スイッチ２１をＯＮに切り換え、再度第２ライン５１からの入力電圧に基づいて、駆動用電源２２が短絡していないと判別した場合は、配線が正しく接続されていると判断する。【選択図】図２
2009049800.tif 000002
【特許請求の範囲】
【請求項１】
可変指向性アンテナを制御するアンテナコントローラに接続するための複数のピンを有したアンテナコントロールジャックと、
チューナ部と、
該チューナ部と前記アンテナコントローラとを接続するためのアンテナジャックと、
各部を制御する制御部と、
前記アンテナコントローラへ電源を供給する駆動用電源とを有した放送受信装置において、
前記制御部の指示により、前記駆動用電源からの電源供給のＯＮ／ＯＦＦを切り換え、初期状態がＯＦＦであるスイッチと、
前記アンテナコントローラとの接続を監視するための監視用電源と、
前記アンテナコントロールジャックの１つのピンと、前記監視用電源及びグランド及び前記制御部とを接続する第１ラインと、
前記アンテナコントロールジャックの１つのピンと、前記スイッチを介して前記駆動用電源とを接続するとともに、前記制御部とも接続する第２ラインとを備え、
所定の条件が成立した場合に、前記制御部は、
前記第１ラインからの入力電圧に基づいて、前記アンテナコントロールジャックに前記アンテナコントローラからの接続がなされているか否かを判別し、
接続がなされていると判別した場合は、前記スイッチをＯＮに切り換え、
前記第２ラインからの入力電圧に基づいて、前記駆動用電源が短絡しているか否かを判別し、
短絡していると判別した場合は、前記スイッチをＯＦＦに切り換え、
再度前記第１ラインからの入力電圧に基づいて、前記アンテナコントロールジャックに前記アンテナコントローラからの接続がなされているか否かを判別し、
接続がなされていないと判別した場合は、再度前記第１ラインからの入力電圧に基づいて、前記アンテナコントロールジャックに前記アンテナコントローラからの接続がなされているか否かを判別し、
接続がなされていると判別した場合は、前記スイッチをＯＮに切り換え、
再度前記第２ラインからの入力電圧に基づいて、前記駆動用電源が短絡しているか否かを判別し、
短絡していないと判別した場合は、配線が正しく接続されていると判断することを特徴とする放送受信装置。
【請求項２】
前記スイッチをＯＦＦに切り換えた場合、
前記アンテナコントロールジャックへ接続されているケーブルを抜き、配線を正しく繋いでから前記アンテナコントロールジャックへ再度ケーブルを接続するように促す旨のメッセージを出力することを特徴とする請求項１記載の放送受信装置。
【請求項３】
前記メッセージを出力し、前記アンテナコントロールジャックに前記アンテナコントローラからの接続がなされていないと判別した後、前記アンテナコントロールジャックに前記アンテナコントローラからの接続がなされていると判別した場合、
前記メッセージの出力を停止することを特徴とする請求項２記載の放送受信装置。
【請求項４】
最初の前記駆動用電源が短絡しているか否かの判別において、短絡していないと判別した場合は、配線が正しく接続されていると判断することを特徴とする請求項１〜３の何れかに記載の放送受信装置。
【請求項５】
前記配線が正しく接続されていると判断した場合、放送の受信を開始することを特徴とする請求項１〜４の何れかに記載の放送受信装置。
【請求項６】
前記アンテナコントロールジャックの１つのピンに接続する、前記可変指向性アンテナを制御するための制御情報を伝送する第３ラインを備えたことを特徴とする請求項１〜５の何れかに記載の放送受信装置。
【請求項７】
前記アンテナコントロールジャックは端から順に並んだ第１ピン〜第６ピンの６つのピンを有し、
第１、第３、第４又は第６ピンの何れか１つに前記第１ラインが接続され、
第２ピンに前記第２ラインが接続され、
第５ピンに前記第３ラインが接続され、
残りのピンがグランドに接続されることを特徴とする請求項６記載の放送受信装置。
【請求項８】
前記チューナ部からの中間周波数信号に基づいてトランスポートストリームを生成するとともに、前記第３ラインが接続され前記可変指向性アンテナを制御するための制御情報を出力するフロントエンドと、
前記トランスポートストリームから映像データ及び音声データを分離するデータ分離部と、
前記映像データ及び前記音声データをデコードする映像・音声デコード部と、
デコードされた前記映像データと、自ら生成した映像データとを合成し、合成データに基づく表示用信号を生成する映像合成部と、
デコードされた前記音声データをデジタルからアナログに変換する音声Ｄ／Ａコンバータとを備えたことを特徴とする請求項６又は７記載の放送受信装置。
【請求項９】
前記制御部はＭＰＵであり、受信した映像を出力する表示部と、受信した音声を出力するスピーカとを備えたことを特徴とする請求項１〜８の何れかに記載の放送受信装置。
【請求項１０】
前記所定の条件が成立した場合とは、スタンバイ状態から電源ＯＮ操作された場合であることを特徴とする請求項１〜９の何れかに記載の放送受信装置。
【発明の詳細な説明】
【技術分野】
【０００１】
本発明は、可変指向性アンテナを用いて受信する放送受信装置に関する。
【背景技術】
【０００２】
近年、分散して存在する放送局のそれぞれの電波塔から送信される電波を受信するためのアンテナとして、一方向からの電波しか受信できなかったアンテナに代わって、指向性を複数種類に切り換えることのできる可変指向性アンテナが考案されている。
【０００３】
ＳＴＢ（Set Top Box）やテレビ受像機などの放送受信装置は、このような可変指向性アンテナが接続された場合、この可変指向性アンテナに電源供給を行うだけでなく、指向性を切り換えるための制御を行う必要がある。したがって、放送受信装置と可変指向性アンテナの間では、電源供給のための接続と、制御情報送受信のための接続とがなされる。また、一般的な可変指向性アンテナはアンテナコントローラを介して放送受信装置に接続される。
【０００４】
一般家庭で放送受信装置と可変指向性アンテナが利用される場合、通常、接続はユーザによってなされる。その際、コントローラにおけるアンテナケーブルのジャック形状が、可変指向性アンテナへ接続するためのジャックと放送受信装置へ接続するためのジャックとで同じであるため、誤った接続がなされる可能性がある。例えば可変指向性アンテナへ接続するためのジャックに放送受信装置からのケーブルが接続された場合は、放送受信装置の電源が短絡するので、発火の危険性がある。そのため、通常は放送受信装置内に何らかの保護回路が設けられている。
【０００５】
例えば、特許文献１には、可変指向性アンテナの接続確認の処理を行い、接続にエラーがあった場合は可変指向性アンテナへの電源供給を停止し、受像機に可変指向性アンテナが正常に接続されていない旨のエラーメッセージを表示させる放送受信装置が開示されている。この構成によれば、電源の短絡による発火は防止できる。
【特許文献１】特開２００６−２１７２３０号公報
【発明の開示】
【発明が解決しようとする課題】
【０００６】
しかしながら、特許文献１ではエラーメッセージが表示された後、正常に接続し直した場合でも、放送受信装置のＡＣコードを一度抜かなければ復帰しないので、使い勝手が良いとはいえない。
【０００７】
また、従来の放送受信装置では電源供給のためのジャックは剥き出しであるので、子供のいたずらなどによってそのジャックに金属などの導電性の異物が挿入されると、電源が短絡するおそれもある。
【０００８】
本発明は、可変指向性アンテナの接続が誤っていた場合であって接続し直した際にＡＣコードを抜き差し不要として使い勝手を良くするとともに、電源供給のジャックへの異物挿入による短絡を防止して安全性を向上させた放送受信装置を提供することを目的とする。
【課題を解決するための手段】
【０００９】
上記目的を達成するために本発明は、可変指向性アンテナを制御するアンテナコントローラに接続するための複数のピンを有したアンテナコントロールジャックと、チューナ部と、該チューナ部と前記アンテナコントローラとを接続するためのアンテナジャックと、各部を制御する制御部と、前記アンテナコントローラへ電源を供給する駆動用電源とを有した放送受信装置において、前記制御部の指示により、前記駆動用電源からの電源供給のＯＮ／ＯＦＦを切り換え、初期状態がＯＦＦであるスイッチと、前記アンテナコントローラとの接続を監視するための監視用電源と、前記アンテナコントロールジャックの１つのピンと前記監視用電源及びグランド及び前記制御部とを接続する第１ラインと、前記アンテナコントロールジャックの１つのピンと前記スイッチを介して前記駆動用電源とを接続するとともに前記制御部とも接続する第２ラインとを備え、所定の条件が成立した場合に、前記制御部は、前記第１ラインからの入力電圧に基づいて、前記アンテナコントロールジャックに前記アンテナコントローラからの接続がなされているか否かを判別し、接続がなされていると判別した場合は、前記スイッチをＯＮに切り換え、前記第２ラインからの入力電圧に基づいて、前記駆動用電源が短絡しているか否かを判別し、短絡していると判別した場合は、前記スイッチをＯＦＦに切り換え、再度前記第１ラインからの入力電圧に基づいて、前記アンテナコントロールジャックに前記アンテナコントローラからの接続がなされているか否かを判別し、接続がなされていないと判別した場合は、再度前記第１ラインからの入力電圧に基づいて、前記アンテナコントロールジャックに前記アンテナコントローラからの接続がなされているか否かを判別し、接続がなされていると判別した場合は、前記スイッチをＯＮに切り換え、再度前記第２ラインからの入力電圧に基づいて、前記駆動用電源が短絡しているか否かを判別し、短絡していないと判別した場合は、配線が正しく接続されていると判断することを特徴とする。
【００１０】
この構成によれば、アンテナコントローラとの配線の接続が誤っていた場合には電源供給を停止し、その後正しく接続し直されたときにはそのまま通常の動作を開始することができる。
【００１１】
上記の放送受信装置において、前記スイッチをＯＦＦに切り換えた場合、前記アンテナコントロールジャックへ接続されているケーブルを抜き、配線を正しく繋いでから前記アンテナコントロールジャックへ再度ケーブルを接続するように促す旨のメッセージを出力すれば、ユーザに対して親切である。
【００１２】
また、前記メッセージを出力した場合は、その後前記アンテナコントロールジャックに前記アンテナコントローラからの接続がなされていないと判別し、前記アンテナコントロールジャックに前記アンテナコントローラからの接続がなされていると判別したときに、前記メッセージの出力を停止すればよい。
【００１３】
また上記の放送受信装置において、最初の前記駆動用電源が短絡しているか否かの判別において、短絡していないと判別した場合は、配線が正しく接続されていると判断すればよい。
【００１４】
また上記の放送受信装置において、前記配線が正しく接続されていると判断した場合、放送の受信を開始することで、そのまま通常の動作に移ることができる。
【００１５】
また上記の放送受信装置において、前記アンテナコントロールジャックの１つのピンに接続する、前記可変指向性アンテナを制御するための制御情報を伝送する第３ラインを備えることで、適宜可変指向性アンテナを制御することができる。
【００１６】
また上記の放送受信装置において、例えば、前記アンテナコントロールジャックは端から順に並んだ第１ピン〜第６ピンの６つのピンを有し、第１、第３、第４又は第６ピンの何れか１つに前記第１ラインが接続され、第２ピンに前記第２ラインが接続され、第５ピンに前記第３ラインが接続され、残りのピンがグランドに接続される構成とすることができる。
【００１７】
また上記の放送受信装置において、例えば、前記チューナ部からの中間周波数信号に基づいてトランスポートストリームを生成するとともに、前記第３ラインが接続され前記可変指向性アンテナを制御するための制御情報を出力するフロントエンドと、前記トランスポートストリームから映像データ及び音声データを分離するデータ分離部と、前記映像データ及び前記音声データをデコードする映像・音声デコード部と、デコードされた前記映像データと、自ら生成した映像データとを合成し、合成データに基づく表示用信号を生成する映像合成部と、デコードされた前記音声データをデジタルからアナログに変換する音声Ｄ／Ａコンバータとを備える構成とすることができる。
【００１８】
また上記の放送受信装置において、具体的には前記制御部はＭＰＵであり、受信した映像を出力する表示部と、受信した音声を出力するスピーカとを備えていれば、テレビ受像機となる。
【００１９】
また上記の放送受信装置において、前記所定の条件が成立した場合とは、例えば、スタンバイ状態から電源ＯＮ操作された場合とすることができる。
【発明の効果】
【００２０】
本発明の放送受信装置によると、配線の接続が誤っていた場合には電源供給を停止して発火を防止し、その後正しく接続し直されたときにはそのまま通常の動作を開始するので、従来のように接続し直した際に復帰させるためにＡＣコードを抜き差しする必要がなく使い勝手がよい。
【００２１】
また、本発明の放送受信装置によると、初期状態ではスイッチがＯＦＦであり駆動用電源からの電源が切断されているので、子供のいたずらなどによってアンテナコントロールジャックに金属などの導電性の異物が挿入されても電源が短絡することがなく、発火の危険性がない。
【発明を実施するための最良の形態】
【００２２】
以下では、放送受信装置としてデジタル放送受信装置を例に説明する。また、可変指向性アンテナとしてスマートアンテナを例に説明する。図１は、デジタル放送受信システムの構成を示すブロック図である。デジタル放送受信システムは、デジタル放送受信装置１０と、デジタル放送受信装置１０に接続されたアンテナコントローラ３０と、アンテナコントローラ３０に接続されたスマートアンテナ４０とを含んでいる。なお、アンテナコントローラ３０とスマートアンテナ４０とは一体であってもよい。
【００２３】
スマートアンテナ４０とは、複数のアンテナ素子で構成され、各アンテナ素子を適当な振幅及び位相により励振することで指向性を切り換えることのできるアンテナである。スマートアンテナ４０は、アンテナコントローラ３０へケーブル４１で接続されている。スマートアンテナ４０は、受信した放送波をケーブル４１を介してアンテナコントローラ３０へ送信する。
【００２４】
アンテナコントローラ３０は、ケーブル４１を介して、スマートアンテナ４０へ電源を供給するとともに、デジタル放送受信装置１０から入力される制御情報にしたがってスマートアンテナ４０を制御するものである。また、アンテナコントローラ３０は、スマートアンテナ４０が受信した放送波をデジタル放送受信装置１０へ出力もする。
【００２５】
デジタル放送受信装置１０は、アンテナジャック１１と、チューナ部１２と、フロントエンド１３と、データ分離部１４と、映像・音声デコード部１５と、映像合成部１６と、音声Ｄ／Ａコンバータ１７と、表示部１８と、スピーカ１９と、アンテナコントロールジャック２０と、スイッチ２１と、駆動用電源２２と、監視用電源２３と、ＲＡＭ２４と、ＲＯＭ２５と、操作部２６と、ＭＰＵ２７とを備えている。
【００２６】
アンテナジャック１１は、チューナ部１２とアンテナコントローラ３０とを接続するためのジャックであり、アンテナコントローラ３０へケーブル３１で接続されている。
【００２７】
チューナ部１２は、アンテナジャック１１に接続されており、スマートアンテナ４０が受信したデジタル放送波をアンテナコントローラ３０を介して受け取り、そのデジタル放送波からＭＰＵ２７が指示する周波数の放送信号を抽出し、該抽出した放送信号に対して周波数変換を行って中間周波数信号を生成し、フロントエンド１２へ出力するものである。
【００２８】
フロントエンド１３は、中間周波数信号に対して復調及びエラー訂正等を行ってＴＳ（トランスポートストリーム）を生成し、データ分離部１４へ出力するものである。またフロントエンド１３には後述する第３ラインが接続されており、フロントエンド１３はスマートアンテナ４０を制御するための制御情報を出力する。
【００２９】
データ分離部１４は、入力されたＴＳから映像データ及び音声データを分離し、映像データ及び音声データを映像・音声デコード部１５へ出力するものである。
【００３０】
映像・音声デコード部１５は、入力された映像データ及び音声データをデコードし、デコードした映像データを映像合成部１６へ出力し、デコードした音声データを音声Ｄ／Ａコンバータ１７へ出力するものである。
【００３１】
映像合成部１６は、入力された映像データと、自ら生成した映像データとを合成し、合成データに基づく表示用信号を生成して表示部１８へ出力するものである。また、映像合成部１６は、上記合成を行わず、自ら生成した映像データに基づく表示用信号を表示部１８へ出力することも行う。
【００３２】
音声Ｄ／Ａコンバータ１７は、入力された音声データをデジタルからアナログに変換し、スピーカ１９へ出力するものである。
【００３３】
表示部１８は、映像合成部１６からの映像を表示するものであり、液晶パネルなどからなる。スピーカ１９は、音声Ｄ／Ａコンバータ１７からの音声を放音するものである。なお、表示部１８及びスピーカ１９は、デジタル放送受信装置１０の外部装置として接続するものであってもよい。
【００３４】
アンテナコントロールジャック２０は、アンテナコントローラ３０に接続するための複数のピンを有したモジュラジャックである。アンテナコントロールジャック２０とアンテナコントローラ３０とはケーブル３２で接続されている。
【００３５】
スイッチ２１は、アンテナコントロールジャック２０と駆動用電源２２との間に設けられ、駆動用電源２２からの電源供給のＯＮ／ＯＦＦを切り換えるスイッチである。またスイッチ２１は、ＭＰＵ２７と接続されており、ＭＰＵ２７の指示によりＯＮ／ＯＦＦが切り換えられる。なお、スイッチ２１の初期状態はＯＦＦである。初期状態とは、後述する所定の条件を満たした時点での状態をいう。また、工場出荷時もスイッチ２１はＯＦＦにされている。
【００３６】
駆動用電源２２は、アンテナコントローラ３０及びスマートアンテナ４０へ電源を供給するものであり、本実施形態では１２Ｖを用いる。
【００３７】
監視用電源２３は、アンテナコントローラ３０とアンテナコントロールジャック２０とのケーブル３２による接続を監視するために用いる電源であり、本実施形態では３．３Ｖを用いる。
【００３８】
ＲＡＭ２４は、デジタル放送受信装置１０内で使用するデータを一時的に記憶しておくものである。ＲＯＭ２５は、デジタル放送受信装置１０の動作に必要な情報を記憶しているものである。
【００３９】
操作部２６は、ユーザが各種操作を行うための複数のキーから構成されるものである。キーには、例えば、デジタル放送受信装置１０のスタンバイ状態（電源ＯＦＦ状態）と電源ＯＮ状態とを切り換える電源キー２６ａや、選局操作を行うためのキー（不図示）などがある。なお、操作部２６は赤外線などで遠隔操作可能なリモコンとしてもよい。
【００４０】
ＭＰＵ２７は、デジタル放送受信装置１０全体を制御するものであり、チューナ部１２に抽出する放送信号の周波数を指示したり、文字や図形等の画像データを生成して映像合成部１６へ出力したり、スイッチ２１のＯＮ／ＯＦＦを制御したり、配線（ケーブル３１、３２）が正しく接続されているかどうかを監視したりする。
【００４１】
このようなデジタル放送受信システムの構成により、デジタル放送受信装置１０は、ケーブル３２を介して、アンテナコントローラ３０及びスマートアンテナ４０へ電源を供給するとともに、指向性を切り換えるための制御情報も適宜送信する。これにより、スマートアンテナ４０は、各アンテナ素子に対する励振を変化させて指向性を切り換え、放送波を受信する。そして、スマートアンテナ４０により受信された放送波は、ケーブル４１及びケーブル３１を介してデジタル放送受信装置１０へ送られ、デジタル放送受信装置１０内で処理され、映像及び音声として出力される。
【００４２】
図２は、アンテナコントロールジャック２０のピンの接続状態の一例を示す図である。ここでは、アンテナコントロールジャック２０は端から順に並んだ第１ピン２０ａ〜第６ピン２０ｆの６つのピンを有するものとする。
【００４３】
デジタル放送受信装置１０内での第１ピン２０ａ〜第６ピン２０ｆの接続先を順に説明すると、まず、第１ピン２０ａは、グランドに接続されている。そして第２ピン２０ｂは、第２ライン５１によってスイッチ２１を介して駆動用電源２２に接続されるとともに、ＭＰＵ２７にも接続されている。第３ピン２０ｃは、グランドに接続されている。第４ピン２０ｄは、グランドに接続されている。第５ピン２０ｅは、第３ライン５２によってフロントエンド１３に接続されている。第６ピン２０ｆは、第１ライン５０によって監視用電源２３及びグランド及びＭＰＵ２７に接続されている。
【００４４】
このような構成によれば、第１ライン５０を監視しているＭＰＵ２７にＳＭＡＲＴ＿ＤＥＴ信号が入力され、３．３Ｖ又は０Ｖが検出される。３．３Ｖが検出された場合、ＭＰＵ２７は、第６ピン２０ｆつまりアンテナコントロールジャック２０に、ケーブル３２を介してアンテナコントローラ３０が接続されていないと判断する。一方、０Ｖが検出された場合、ＭＰＵ２７は、グランドレベルに落ちていることから第６ピン２０ｆつまりアンテナコントロールジャック２０に、ケーブル３２を介してアンテナコントローラ３０が接続されていると判断する。
【００４５】
また、ＭＰＵ２７の制御によってスイッチ２１がＯＮされると、正しく配線されていれば駆動用電源２２からの電源が第２ライン５１を通じて第２ピン２０ｂからアンテナコントローラ３０及びスマートアンテナ４０へ供給される。スイッチ２１のＯＮ状態においては、第２ライン５１を監視しているＭＰＵ２７に１２Ｖ＿ＭＯＮＩＴＯＲ信号が入力され、１２Ｖ又は０Ｖが検出される。１２Ｖが検出された場合、ＭＰＵ２７は、駆動用電源２２の電源が正常にアンテナコントローラ３０及びスマートアンテナ４０へ供給されていると判断する。一方、０Ｖが検出された場合、ＭＰＵ２７は、配線の接続が間違っていることにより駆動用電源２２の電源が短絡していると判断する。
【００４６】
また、選局動作に応じてフロントエンド１３はスマートアンテナ４０を制御するための制御情報（ＳＭＡＲＴ＿ＤＡＴＡ）を出力し、ＳＭＡＲＴ＿ＤＡＴＡは、第３ライン５２を通じて伝送される。
【００４７】
なお、第１ライン５０の接続先は第１ピン２０ａ、第３ピン２０ｃ、第４ピン２０ｄ又は第６ピン２０ｆの何れかであればよい。その際、駆動用電源２２が接続されている第２ライン５１から遠い程、ノイズの影響が抑えられるので好ましい。上記のようなピン配置であれば、第１ライン５０を接続するピンは、駆動用電源２２が接続される第２ピン２０ｂから遠い程好ましく、最も好ましいのは第６ピン２０ｆであり、次に好ましいのは第４ピン２０ｄであり、次に好ましいのは第１ピン２０ａ及び第３ピン２０ｃである。
【００４８】
また、第１ピン２０ａ〜第６ピン２０ｆの配置には特に限定はなく、どのような順番に並んでいてもよい。
【００４９】
次に、アンテナコントローラ３０及びスマートアンテナ４０が正しくデジタル放送受信装置１０に接続されているかをデジタル放送受信装置１０が監視する方法について説明する。図３は、接続の監視に関するデジタル放送受信装置１０の動作を示すフローチャートである。図４は、図３の続きを示すフローチャートである。なお、図３と図４とは符号Ａで繋がっている。
【００５０】
デジタル放送受信装置１０において、所定の条件が成立した場合に、接続の監視に関する以下の処理を開始する。所定の条件とは、例えば、デジタル放送受信装置１０のＡＣコードがコンセントに挿され、主電源が入ったスタンバイ状態において電源キー２６ａが押下（電源ＯＮ操作）された場合を意味する。また例えば、デジタル放送受信装置１０が計時機能を有するタイマを備え、予め登録された時刻になると動作を開始するような、いわゆる予約動作が可能に構成されている場合には、その登録された時刻になったことを条件としてもよい。
【００５１】
まず、ステップＳ１０においてＭＰＵ２４は、第１ライン５０からの入力電圧に基づいて、アンテナコントロールジャック２０にアンテナコントローラ３０からの接続がなされているか否かを判別する。具体的には、ＳＭＡＲＴ＿ＤＥＴ信号の検出値が、３．３Ｖであれば接続されていないと判別し、０Ｖであれば接続されていると判別する。
【００５２】
ステップＳ１０で接続されていないと判別した場合は、スマートアンテナ４０及びアンテナコントローラ３０は接続されていないので、ステップＳ１１へ進んでスマートアンテナ以外に接続されている通常のアンテナを用いて放送の受信を開始する。
【００５３】
一方、ステップＳ１０で接続されていると判別した場合は、ステップＳ１２へ進んでスイッチ２１をＯＮに切り換え、アンテナコントローラ３０への電源供給を開始する。
【００５４】
そしてステップＳ１３へ進んで第２ライン５１からの入力電圧に基づいて、駆動用電源２２が短絡しているか否かを判別する。具体的には、１２Ｖ＿ＭＯＮＩＴＯＲ信号の検出値が１２Ｖであれば短絡していないと判別し、０Ｖであれば短絡していると判別する。
【００５５】
ステップＳ１３で短絡していないと判別した場合は、アンテナコントローラ３０との配線が正しく接続されているので、ステップＳ２１へ進んでスマートアンテナ４０を用いて放送の受信を開始する。
【００５６】
一方、ステップＳ１３で短絡していると判別した場合は、アンテナコントローラ３０との配線の接続が間違っているので、ステップＳ１４へ進んでスイッチ２１をＯＦＦに切り換える。これにより、電源の短絡による発火が防止される。
【００５７】
続いてステップＳ１４からステップＳ１５へ進んで、アンテナコントロールジャック２０へ接続されているケーブルを抜き、配線を正しく繋いでからアンテナコントロールジャック２０へ再度ケーブルを接続するように促す旨のメッセージを出力する。メッセージは、例えば、表示部１８へＯＳＤ表示したり、スピーカ１９から音声メッセージとして出力したりすることができる。また、両出力を併用してもよい。
【００５８】
続いてステップＳ１５からステップＳ１６へ進んで、再度第１ライン５０からの入力電圧に基づいて、アンテナコントロールジャック２０にアンテナコントローラ３０からの接続がなされているか否かを判別する。
【００５９】
ステップＳ１６で接続されていないと判別した場合は、メッセージにしたがってアンテナコントロールジャック２０へ接続されていたケーブルが抜かれたと判断し、ステップＳ１７へ進む。
【００６０】
ステップＳ１７では、再度第１ライン５０からの入力電圧に基づいて、アンテナコントロールジャック２０にアンテナコントローラ３０からの接続がなされているか否かを判別する。
【００６１】
ステップＳ１７で接続されていると判別した場合は、メッセージにしたがって配線を正しく繋いでからアンテナコントロールジャック２０へ再度ケーブルが接続されたと判断し、ステップＳ１８へ進む。
【００６２】
ステップＳ１８では、ステップＳ１５で出力していたメッセージの出力を停止し、再び配線が正しく接続されているかどうかを確かめるため、ステップＳ１９へ進んでスイッチ２１をＯＮに切り換え、再びアンテナコントローラ３０への電源供給を開始する。
【００６３】
そしてステップＳ２０へ進んで、再度第２ライン５１からの入力電圧に基づいて、駆動用電源２２が短絡しているか否かを判別する。
【００６４】
ステップＳ２０で短絡していないと判別した場合は、アンテナコントローラ３０との配線が正しく接続し直されたと判断し、ステップＳ２１へ進んでスマートアンテナ４０を用いて放送の受信を開始する。
【００６５】
一方、ステップＳ２０で短絡していると判別した場合は、アンテナコントローラ３０との配線の接続がまだ間違っているので、ステップＳ１４に戻る。
【００６６】
このように、電源ＯＮ時には上述したスマートアンテナに関する配線の接続が正しいかどうかを確認する処理を行うことにより、配線の接続が誤っていた場合には電源供給を停止して発火を防止するとともにメッセージを出力して警告し、その後正しく接続し直されたときにはそのまま通常の受信動作を開始することができる。したがって、従来のように接続し直した際に復帰させるためにＡＣコードを抜き差しする必要がなく使い勝手がよい。
【００６７】
また、本発明の回路構成によれば、初期状態ではスイッチ２１がＯＦＦであり駆動用電源２２からの電源が切断されているので、子供のいたずらなどによってアンテナコントロールジャック２０に金属などの導電性の異物が挿入されても電源が短絡することがなく、発火の危険性がない。
【００６８】
なお、上記のフローチャートにおいて、ステップＳ１５及びステップＳ１８は必ずしも必要ではない。但し、メッセージを出力したほうがユーザに対して親切である。
【００６９】
なお、上記の実施形態では放送波を受信する可変指向性アンテナとしてスマートアンテナを用いたが、指向性を切り換えることが可能なアンテナであれば、他のアンテナを用いることもできる。
【００７０】
上記の実施形態で例示したデジタル放送受信装置１０は、日本のＩＳＤＢ−Ｔ（Integrated Services Digital Broadcasting for Terrestrial）方式、米国のＡＴＳＣ（Advanced Television Systems Committee）方式及び欧州のＤＶＢ−Ｔ（Digital Video Broadcasting for Terrestrial）方式などのデジタル放送に対応する。
【００７１】
また、本発明の放送受信装置はアナログ放送受信装置にも適用でき、日本や米国等のＮＴＳＣ（National System Committee）方式、ドイツやイギリス等のＰＡＬ（Phase Alternating Line）方式及びフランス等のＳＥＣＡＭ（フランス語でSequentiel Couleur a Memoire）方式などのアナログ放送に対応する。
【００７２】
なお、上記の実施形態においては、デジタル放送受信装置１０にスピーカ１９及び表示部１８を内蔵するデジタルテレビについて説明したが、本発明は、スピーカ１９及び表示部１８を有さないＳＴＢやビデオ装置にも適用できる。
【産業上の利用可能性】
【００７３】
本発明の放送受信装置は、液晶テレビなどのテレビ受像機をはじめ、チューナ装置であるＳＴＢ、ビデオ装置であるビデオカセットレコーダやＤＶＤレコーダやハードディスクレコーダ、それらの複合機、放送受信機能付き携帯電話機などに利用することができる。
【図面の簡単な説明】
【００７４】
【図１】本発明のデジタル放送受信システムの構成を示すブロック図である。
【図２】本発明のアンテナコントロールジャックのピンの接続状態の一例を示す図である。
【図３】本発明の接続の監視に関するデジタル放送受信装置の動作を示すフローチャートである。
【図４】図３の続きを示すフローチャートである。
【符号の説明】
【００７５】
１０    デジタル放送受信装置（放送受信装置）
１１    アンテナジャック
１２    チューナ部
１３    フロントエンド
１４    データ分離部
１５    映像・音声デコード部
１６    映像合成部
１７    音声Ｄ／Ａ
１８    表示部
１９    スピーカ
２０    アンテナコンロトールジャック
２１    スイッチ
２２    駆動用電源
２３    監視用電源
２７    ＭＰＵ（制御部）
【図１】
2009049800.tif 000003
【図２】
2009049800.tif 000004
【図３】
2009049800.tif 000005
【図４】
2009049800.tif 000006